(57)【要約】【課題】外観性，防犯性を損なうことなく、しかもパネルの着脱，交換が簡単に行えるように外扉への化粧パネルの取付け構造を改良した自動販売機を提供する。【解決手段】外扉２前面に化粧パネル７を配備した自動販売機において、化粧パネル７の背面複数箇所にスタッドボルト１３を立設した上で、該スタッドボルトを外扉２の扉板に穿孔したボルト通し穴２ｍに嵌挿し、扉板の背面からスタッドボルトにナット１４を螺着して化粧パネルを外扉に締結するものとする。また、化粧パネル７には、その前面に紙幣挿入口９，モニター１０，コイン投入口１０，コイン返却レバー１１，コイン返却口１２などの接客部品を配置した上で、該化粧パネルを外扉２の中央に配置し、その左右両側に商品のサンプル展示室３を画成する。【選択図】図１
2008186198.tif 000002
【特許請求の範囲】
【請求項１】
キャビネットの外扉前面に化粧パネルを配備した自動販売機において、
前記化粧パネルの背面複数箇所にスタッドボルトを立設した上で、該スタッドボルトを外扉の扉板に穿孔したボルト通し穴に嵌挿し、扉板の背面からスタッドボルトにナットを螺着して化粧パネルを外扉に締結したことを特徴とする自動販売機。
【請求項２】
請求項１に記載の自動販売機において、化粧パネルの前面にコイン投入口，コイン返却レバー，紙幣挿入口，モニターなどの接客部品を配置したことを特徴とする自動販売機。
【請求項３】
請求項１または２のいずれかに記載の自動販売機において、外扉の中央に化粧パネルを配置し、その左右両側に商品のサンプル展示室を画成したことを特徴とする自動販売機。
【発明の詳細な説明】
【技術分野】
【０００１】
本発明は、自動販売機に関し、詳しくは自動販売機の外扉前面に配した化粧パネルの取付け構造に係わる。
【背景技術】
【０００２】
昨今では自動販売機の外観デザイン性が重要視され、そのために本体キャビネットの外扉前面に着色デザインされた化粧パネル（板金パネル）を配置して他の製品との差別化，アピール性向上を図るようにしている。
また、この種の化粧パネルを外扉に固定する取付け手段として、従来では一般的な筐体の組立構造（例えば、特許文献１参照）と同様に、化粧パネルをねじ，リベットなどで扉板に締結する、あるいは化粧パネルの周縁複数箇所にフック金具を設け、このフック金具を扉板に開口した係合角穴に掛止して定位置に固定するなどの方法が採用されている。
【特許文献１】特開２００３−８２４８号公報
【発明の開示】
【発明が解決しようとする課題】
【０００３】
ところで、前記した従来の化粧パネル取付け構造はデザイン性，機能面で次記のような問題点がある。すなわち、
（１）ねじ，リベットで外扉に固定する取付f構造では、ねじ，リベットの頭部が化粧パネルの前面に露出するために外観の体裁を損なうほか、その取付け構造が外部から判るために、悪戯行為によって破壊を受けやすいといった防犯上の問題もある。
（２）また、特にリベットよる締結構造はねじ締結のように取り外しができないため、自動販売機の設置先で化粧パネルを例えば別な着色デザインのパネルに付替える場合でも、その交換作業が困難である。
（３）また、フック金具による掛止構造では、構造が複雑化して部品点数，組立工数が増加するほか、外扉の扉板に大きな係合角穴を開けることからこの角穴を通して雨水が庫内に侵入しやすくなるといった雨水対策の問題もある。
【０００４】
本発明は上記の点に鑑みなされたものであり、その目的は前記課題を解決し、外観性，防犯性を損なうことなく、しかも必要に応じてパネルの着脱，交換が簡単に行えるように外扉への化粧パネルの取付け構造を改良した自動販売機を提供することを目的とする。
【課題を解決するための手段】
【０００５】
上記目的を達成するために、本発明によれば、キャビネットの外扉前面に化粧パネルを配備した自動販売機において、
前記化粧パネルの背面複数箇所にスタッドボルトを立設した上で、該スタッドボルトを外扉の扉板に穿孔したボルト通し穴に嵌挿し、扉板の背面からスタッドボルトにナットを螺着して化粧パネルを外扉に締結する（請求項１）。
また、その化粧パネルは次記のような態様で自動販売機に設けることができる。
（１）前記の化粧パネルには、その前面にコイン投入口，コイン返却レバー，紙幣挿入口，モニターなどの接客部品を配置する（請求項２）。
（２）前記の化粧パネルを外扉の中央に配置し、その左右両側に商品のサンプル展示室を画成する。
【発明の効果】
【０００６】
上記した化粧パネルの取付け構造によれば、化粧パネルの背面に立設したスタッドボルトがねじ，リベットのようにパネルの前面に露出することがなくて外観を損なうことがないほか、スタッドボルトの位置が外方から見えないので防犯性の向上にも寄与する。
また、化粧パネルは外扉の背面側からナット操作することで簡単に着脱可能であり、自動販売機の設置先で化粧パネルを付け替える場合でも簡単な作業で対応できる。
さらに、化粧パネルを外扉の中央に配置してここに接客部品を配し、販売商品のサンプル展示室を化粧パネルの左右両側に分けて画成した構成により、外観デザインのアピール性が向上するとともに、例えばコールド商品，ホット商品を左右の展示室に振り分けて陳列することで利用客は所望商品の選択がし易くなって接客性の改善も図れる。
【発明を実施するための最良の形態】
【０００７】
以下、本発明の実施の形態を図１〜図３に示す実施例に基づいて説明する。なお、図１（ａ）は自動販売機の正面図、図１（ｂ）は化粧パネル取付け構造の説明図、図２は外扉の扉板正面図、図３は扉板と化粧パネルとの分解状態を表す図である。
まず、図１（ａ）において、１は庫内に商品収納ラックを搭載した自動販売機の本体キャビネット、２は本体キャビネットの前面に配した外扉、３は商品サンプル展示室、４は商品選択釦、５は扉ロック、６は商品取出口、７が外扉の前面に配備した化粧パネルである。この化粧パネル７は着色デザインされた縦長な板金パネルになり、その前面にはビルバリデータ（不図示）に通じる紙幣挿入口８，モニター表示器（液晶パネル）９，コインメック（不図示）に通じるコイン投入口１０，コイン返却レバー１１，コイン返却口１２などの接客部品を図示のようにレイアウトして配置している。また、図示例の自動販売機では、化粧パネル７を外扉２の扉板中央に配し、その左右両側に商品のサンプル展示室３を振り分けて画成している。
【０００８】
ここで、化粧パネル７は次記のような取付け構造で外扉２の扉板に固定されている。すなわち、図３で示すように化粧パネル７の背面には、その周縁に沿った複数箇所にスタッドボルト１３がスタッド溶接して立設されている。一方、図２で示すように外扉２は、扉板の中央に化粧パネル７の取付座部２ａを残してその左右にサンプル展示室３（図１参照）対応する窓２ｂ，２ｃが開口し、その下方域には図１の商品取出口６，扉ロック５に対応する窓穴２ｄ，２ｅが開口している。また、図１に示した各接客部品に対応して前記の取付座部２ａには部品取付穴２ｆ〜２ｋ、および化粧パネル７の背面に立設したスタッドボルト１３に対応するボルト通し穴２ｍが穿設されている。
そして、外扉２に化粧パネル７を取付けるには、扉板の前面に化粧パネル７を重ね、その背面に立設したスタッドボルト１３を扉板に穿孔したボルト通し穴２ｍに通した上で、扉板の背後からスタッドボルト１３にナット１４を螺着して化粧パネル７を所定位置に締結固定する。
【０００９】
上記した化粧パネルの取付け構造により、扉板の前面に化粧パネル７を被着した組立状態では、スタッドボルト１３がパネルの背後に隠れて表面に露出しないので外観を損なうことがなく、かつ雨水が庫内に侵入するおそれもない。また、化粧パネル７の取付け構造は外部から見ても判らないので高い防犯性を確保できる。さらに、ユーザーの要望により自動販売機の設置先で化粧パネル７を別な着色デザインのものに付け替える場合でも、簡単な作業で化粧パネルを交換することができる。
また、図示例のように接客部品を配置した化粧パネル７を外扉の前面中央に配してその左右両側に商品のサンプル展示室３を画成することにより、例えばホット商品とコールド商品を左右の展示室に分けて陳列することが可能であり、これにより利用客は所望の商品が見つけ易く、かつコイン，紙幣の投入，およびサンプル展示室に並ぶ商品選択釦の操作も楽に行えて接客性の向上化が図れる。
【図面の簡単な説明】
【００１０】
【図１】本発明実施例の構成図で、（ａ）は自動販売機の正面図、（ｂ）は（ａ）における化粧パネルの取付け構造の説明図
【図２】図１における外扉の扉板の正面図
【図３】図１における外扉の背面側から見た扉板と化粧パネルとの分解図
【符号の説明】
【００１１】
１    自動販売機の本体キャビネット
２    外扉
２ａ  化粧パネルの取付座部
２ｍ  ボルト通し穴
３    サンプル展示室
４    商品選択釦
６    商品取出口
８    紙幣挿入口
９    モニター
１０    コイン投入口
１１    コイン返却レバー
１２    釣銭返却口
１３    スタッドボルト
１４    ナット
【図１】
2008186198.tif 000003
【図２】
2008186198.tif 000004
【図３】
2008186198.tif 000005